(57)【要約】 【課題】  本発明は、化粧スレート葺屋根における雪止め部材などの諸部材の取付具及び取付方法に関するものである。 【解決手段】  本発明の取付具全体の構成は、屋根面に対して直角形状に立設する羽根部１と、この羽根部の一側辺部２に羽根部と直交して接続する支持部３と、この支持部の底辺部４に直交して接続する扁平形状の胴部５を設け、この胴部の一端部に固定部６を設けて成るものである。また、このように構成した取付具を、化粧スレート葺屋根面の適当位置に施工する取付方法である。【選択図】    図１
2018091025.tif 000002
【特許請求の範囲】
【請求項１】
屋根面に対して直角形状に立設する羽根部と、この羽根部の一側辺部に羽根部と直交して接続する支持部と、この支持部の底辺部に直交して接続する扁平形状の胴部を設け、この胴部の一端部に固定部を設けて成ることを特徴とする化粧スレート葺屋根における諸部材の取付具。
【請求項２】
屋根面に対して直角形状に立設する羽根部と、この羽根部の一側辺部に羽根部と直交して接続する支持部と、この支持部の底辺部に直交して接続する扁平形状の胴部を設け、この胴部の一端部に固定部を設けて成ることを特徴とする化粧スレート葺屋根における雪止め部材の取付具。
【請求項３】
請求項１に記載した諸部材取付具を用いて施工することを特徴とする化粧スレート葺屋根における諸部材の取付方法。
【請求項４】
請求項２に記載した諸部材取付具を用いて施工することを特徴とする化粧スレート葺屋根における雪止め部材の取付方法。
【発明の詳細な説明】
【技術分野】
【０００１】
本発明は、化粧スレート葺屋根に取付ける雪止め部材その他の諸部材に関する取付具及びその取付方法に関するものである。
【背景技術】
【０００２】
本件出願人は、化粧スレート葺屋根における雪止め材として、下記の特許文献１の実用新案公報や特許文献２の意匠公報に見られるような部材を創作し、先付け用として普及させている者であるところ、この部材にあっては次のような欠点があることから、解決すべき課題となっていた。
【先行技術文献】
【特許文献】
【０００３】
【特許文献１】実用新案登録第３０５４９６３号公報
【特許文献２】意匠登録第１３５１７４６号公報
【０００４】
従来の雪止め部材等の取付具は、化粧スレート葺屋根材の上面に設置するものであるため、長尺の取付具の後端部に設けた固定部と、この固定部と一体に前記屋根板上に重なる屋根板に挟まれる胴部と、その前方に直角に立ち上げて突出する羽根部の三部分を帯長状に構成した金属板から成るものである。
【０００５】
しかしながら、雪止め具として本来の雪止め機能を発揮する部分は、屋根面に露出している羽根部だけであり、他の二部分は羽根部を固定支持するための隠れ部分であり、特に長尺に成る胴部分は化粧スレート葺屋根材の重なり部分の面長さに依存しなければならない欠点があるため、雪止め効果を全く発揮することができない部分を有することになり、材料費が高くなる無駄な部分となっていたのである。
【発明の概要】
【発明が解決しようとする課題】
【０００６】
そこで、本発明は、化粧スレート葺屋根用の雪止め具として２０年以前より施工されていた羽根部，胴部，釘打ち部の３部構成となっていた長尺の帯板形態を基本的に改良することにより、化粧スレート葺屋根材に適合するシンプルな形態の雪止め部材の取付具を提供するとともに、昨今のデザイナーズ住宅やシンプル住宅と称されている個性的な住宅やデザイン性が高い住宅に対しても適合するような合理的な形態から成る雪止め部材その他の諸部材を提供することを目的とするものである。
【０００７】
また、本発明にあっては、雪止め部材のみならず、各種の看板などを化粧スレート葺屋根の法面に施工する場合でも、比較的迅速かつ簡単に設置作業ができる取付方法を提供することを目的とするものである。
【課題を解決するための手段】
【０００８】
本発明の取付具全体の構成は、屋根面に対して直角形状に立設する羽根部と、この羽根部の一側辺部に羽根部と直交して接続する支持部と、この支持部の底辺部に直交して接続する扁平形状の胴部を設け、この胴部の一端部に固定部を設けて成るものである。
【０００９】
また、このように構成した取付具を、化粧スレート葺屋根面の適当位置に施工する取付方法である。
【発明の効果】
【００１０】
本発明に係る金属製取付具は、従来の長尺で巾広の帯板形状に成る胴部を基本的に改良し、雪止め用の羽根部の一側辺部を直角に曲折して支持部を構成しその底辺部から取付用の胴部を扁平形状に構成するという、胴部全体が図１６に示すように従来品の半分位の短尺で短巾の部材になっているから、材料費の節約とともに雪止め用羽根部の機能を十分達成することができる部材となっており、その強度も十分発揮しているのである。
【００１１】
しかも、これらの取付具は重ね合わせられている化粧スレート葺屋根板の間隙に密着して配置するという平面的な形態となって構成されているものであるから、屋根の美観にも貢献することができているのである。
【００１２】
また、これらの取付具は、各種の看板などを屋根面に施工する場合にあっても、簡単かつ迅速にその取付け作業を行うことができるのである。
【図面の簡単な説明】
【００１３】
【図１】本発明品の斜視図
【図２】図１の平面図
【図３】図２の正面図
【図４】図２の左側面図
【図５】第１施工時の斜視図
【図６】図５の平面図
【図７】図６のＡ−Ａ線断面図
【図８】第２施工時の斜視図
【図９】図８の平面図
【図１０】図９のＢ−Ｂ線断面図
【図１１】第３施工時の斜視図
【図１２】図１１の平面図
【図１３】図１２のＣ−Ｃ断面図
【図１４】第４施工時の斜視図
【図１５】図１４の右側面図
【図１６】本発明品（Ａ）と従来品（Ｂ）との全体寸法の対比図
【発明を実施するための形態】
【００１４】
前記構成手段のうち、胴部と固定部とは、まず一屋根板面に固定部を野地板に対して釘付けや掛止め等の固定をすると、この固定部は胴部とともに一屋根板面に取付くことになるから、他の屋根板を前記羽根部と一体の支持部に向かって対置すると、この支持部と一体の羽根部は他屋根板面上に突出するようになる。このうち、支持部は他屋根板面に平行に起立し、羽根部は他屋根板の法面を遮断するように直立状態になるから、この羽根部分が降雪の滑走を確実に阻止することになるのである。（図１４参照）
【実施例】
【００１５】
屋根面に対して直角形状に立設する羽根部１は、全体の形態は任意に成りかつ補強面部を有する形態に成る。
【００１６】
この羽根部１の一側辺部２には、羽根部と直交して接続する支持部３を一体に直立して設ける。
【００１７】
この支持部３の底辺部４には直交して水平に接続する扁平形状の胴部５を設け、この胴部の一端部には先付け用の釘打ち部や後付け用の掛止め部などから成る固定部６を設ける。
【００１８】
ａは化粧スレート葺屋根板で、建築物の屋根面に順序を追って多数枚設置するようになるが、この屋根板の形態はメーカーによって異なるから、任意とする。
【符号の説明】
【００１９】
１                          羽根部
２                          一側辺部
３                          支持部
４                          底辺部
５                          胴部
６                          固定部
ａ                          化粧スレート葺屋根板
【図１】
2018091025.tif 000003
【図２】
2018091025.tif 000004
【図３】
2018091025.tif 000005
【図４】
2018091025.tif 000006
【図５】
2018091025.tif 000007
【図６】
2018091025.tif 000008
【図７】
2018091025.tif 000009
【図８】
2018091025.tif 000010
【図９】
2018091025.tif 000011
【図１０】
2018091025.tif 000012
【図１１】
2018091025.tif 000013
【図１２】
2018091025.tif 000014
【図１３】
2018091025.tif 000015
【図１４】
2018091025.tif 000016
【図１５】
2018091025.tif 000017
【図１６】
2018091025.tif 000018